(57)【要約】      （修正有）【課題】浴槽の底に溜まった髪の毛などのゴミや金魚鉢等の水槽中のゴミを簡単に除去できる水中ゴミ掃除機を提供する。【解決手段】水中ゴミ掃除機は、持ち手３部分近傍に空気穴４を有し、その内部に水を収納する空洞部１ａを有する本体部１と、この空洞部と密封状態で連結して本体部から突出するように設けられた吸入パイプ５とからなり、吸入パイプは空洞部内部において空洞部の長さ方向の少なくとも空気穴近傍まで延在された構成であって、空気穴を塞いだ状態で吸入パイプと本体部とを水が入った容器中に挿入した後、空気穴を開放する操作をすることで空洞部中の空気を逃がし、それにより生じる大気との圧力差を利用して容器中のゴミ混じりの水を空洞部に吸引する。【選択図】図２
0003190883.tif 000002
【実用新案登録請求の範囲】
【請求項１】
持ち手部分近傍に空気穴４を有し、その内部に水を収納する空洞部を有する本体部１と、前記空洞部１ａと密封状態で連結して前記本体部１から突出するように設けられた吸入パイプ５とからなり、前記吸入パイプ５は前記空洞部内部１ａにおいて前記空洞部１ａの長さ方向の少なくとも前記空気穴４近傍まで延在された構成であって、
前記空気穴４を塞いだ状態で前記吸入パイプ５と前記本体部１ａとを水が入っている容器中に挿入した後、前記空気穴４を開放する操作をすることで前記空洞部１ａ中の空気を逃がし、それにより生じる大気との圧力差を利用して前記容器中のゴミ混じりの水を前記空洞部１ａに吸引する構造からなることを特徴とする水中ゴミ掃除機。
【請求項２】
前記本体部１には、浴槽中に挿入するときには前記空洞部１ａの空気が漏れず、空気中では前記空洞部１ａを開放するための排出扉６がさらに設けられていることを特徴とする請求事項１に記載の水中ゴミ掃除機。
【請求項３】
前記本体部１を可視光に対して透明な材料で作製し、前記空洞部内１ａが外部から視認可能としたことを特徴とする請求項１または２に記載の水中ゴミ掃除機。
【考案の詳細な説明】
【技術分野】
【０００１】
本考案は浴槽内に溜まったゴミを吸引し除去する器具に関するものである。
【背景技術】
【０００２】
浴槽や水槽あるいはプールなどの水底に溜まったゴミは、通常動力を用いた水中掃除機で吸い取る方法が一般的に行われている（例えば、特許文献1参照）。しかしながら、このような従来方法では、動力を用いるため掃除機の全体形状が大きくなり、大規模な浴槽や水槽あるいはプールでないと利用できない。
【先行技術文献】
【特許文献】
【０００３】
【特許文献１】特開平７−２５５６６３号公報
【考案の概要】
【考案が解決しようとする課題】
【０００４】
少人数の家庭では、風呂の湯を毎日交換する必要がなく、２日あるいはそれ以上連続的に使用する場合も多い。しかし、このような使用方法の場合には、お風呂の底に髪の毛などがたまることがあり、衛生的には問題なくても見た目では不潔に見えるため、これらのゴミを除去することが望まれている。しかし、従来の動力を用いて吸引する水中掃除機は、値段が高く、また掃除機全体が大きいことから家庭用の風呂などに用いることはできなかった。
【課題を解決するための手段】
【０００５】
上記課題を解決するために、本考案の水中ゴミ掃除機は、持ち手部分近傍に空気穴を有し、その内部に水を収納する空洞部を有する本体部と、この空洞部と密封状態で連結して本体部から突出するように設けられた吸入パイプとからなり、吸入パイプは空洞部内部において空洞部の長さ方向の少なくとも空気穴近傍まで延在された構成であって、空気穴を塞いだ状態で吸入パイプと本体部とを水が入った容器中に挿入した後、空気穴を開放する操作をすることで空洞部中の空気を逃がし、それにより生じる大気との圧力差を利用して容器中のゴミ混じりの水を空洞部に吸引する構造からなる。
この場合において、本体部には浴槽中に挿入するときには空洞部の空気が漏れず、空気中では空洞部を開放するための排出扉がさらに設けられていてもよい。
さらに、本体部を可視光に対して透明な材料で作製し、空洞部内が外部から視認可能としてもよい。
【考案の効果】
【０００６】
このような構成とすることにより、動力を使用することなく水の圧力を利用して容器中のゴミ混じりの水を本体部の空洞部内に吸引することができる。なお、本体部に排出扉を設けておけば、本体部に吸引した水を空気中で容易に排出することができる。排出扉の構成としては、例えば外周領域が弾性素材、例えば柔らかいゴム状のシール部材が設けられ、本体部に密接する形状としたものでもよい。このような構成の排出扉であれば、本体部が水中に挿入された時には水圧で自然に密閉されるが、大気中に取り出したときには、空洞部と外部との気圧差がないため、排出扉を内側に押すことにより、空洞部内のゴミ混じりの水を簡単に排出することが出来る。
また、本体部を透明樹脂等で作製しておけば、内部の状況を一目で把握できる。
【図面の簡単な説明】
【０００７】
【図１】本考案の実施例１に基づく水中ゴミ掃除機の斜視図
【図２】同実施例の水中ゴミ掃除機のＡ−Ａ線に沿って切断した状態を示        す断面図
【図３】同実施例の水中ゴミ掃除機のＢ−Ｂ線に沿って切断した状態を示す断面図
【図４】本考案の実施例２に基づく水中ゴミ掃除機の斜視図
【図５】同実施例の水中ゴミ掃除機のＣ−Ｃ線に沿って切断した状態を示す断面図
【図６】図５に示すＥ部の拡大図
【図７】同実施例の水中ゴミ掃除機のＤ−Ｄ線に沿って切断した状態を示す断面図
【考案を実施するための形態】
【０００８】
以下、本考案の実施の形態を図に基づいて説明する。
【実施例１】
【０００９】
以下、本考案の実施例１の水中ゴミ掃除機について図面を参照しながら詳細に説明する。図１は、本考案の実施例１に基づく水中ゴミ掃除機の斜視図である。図２は、同実施例の水中ゴミ掃除機のＡ−Ａ線に沿って切断した状態を示す断面図で、図３は同実施例の水中ゴミ掃除機のＢ−Ｂ線に沿って切断した状態を示す断面図である。
本考案の水中ゴミ掃除機は、持ち手部分３の近傍に空気穴４を有し、その内部に水を収納する空洞部１ａを有する本体部１と、空洞部１ａと密封状態で連結して本体部１から突出するように設けられた吸入パイプ５とからなり、吸入パイプ５は空洞部１ａの内部において空洞部１ａの長さ方向の少なくとも空気穴４近傍まで延在された構成からなる。
つぎに、本考案の水中ゴミ掃除機の使用方法について説明する。まず、空気穴４を塞いだ状態で吸入パイプ５と本体部１とを水が入っている容器中に挿入した後、空気穴４を開放する操作をする。これにより本体部中の空気を逃がすと、それにより大気との圧力差が生じる結果、容器中のゴミ混じりの水を吸入パイプ５の吸入口２から空洞部１ａ内に吸引することができる。
なお、本考案の水中ゴミ掃除機では、本体部を容器中に挿入する場合に、空気穴４は空気中にあるようにしておくことが必要である。
このようにしてゴミ混じりの水を吸引した後、大気中に引き上げ、空気穴４から空洞部１ａにたまった水を排出する。排出が終了すれば再度同様な操作をすることでゴミ混じりの水を吸引することができる。
【実施例２】
【００１０】
つぎに、本考案の実施例２の水中ゴミ掃除機について図面を参照しながら詳細に説明する。図４は、本考案の実施例２に基づく水中ゴミ掃除機の斜視図である。図５は、同実施例の水中ゴミ掃除機のＣ−Ｃ線に沿って切断した状態を示す断面図であり、図６は図５に示すＥ部の拡大図である。また、図７は同実施例の水中ゴミ掃除機のＤ−Ｄ線に沿って切断した状態を示す断面図である。
本考案の水中ゴミ掃除機は、持ち手部分３の近傍に空気穴４を有し、その内部に水を収納する空洞部１ａを有する本体部１と、空洞部１ａと密封状態で連結して本体部１から突出するように設けられた吸入パイプ５とからなり、吸入パイプ５は空洞部１ａの内部において空洞部１ａの長さ方向の少なくとも空気穴４近傍まで延在された構成からなる。
本実施例の水中ゴミ掃除機では、図５に示すように空気穴４には空気弁８が設けられており、この空気弁８は連結糸９を介して空洞部１ａに設けられた弾性素材からなる弓状板１０に連結されている。さらに、吸入パイプ５が連結されている領域とは反対方向であって、空気穴４の近傍にゴミ排出扉６が設けられている。このゴミ排出扉６には、空洞部１ａ側に空気漏れ防止用シール７が設けられており、本体部１を水中に挿入するときに空気が漏れないように構成されている。
つぎに、本考案の水中ゴミ掃除機の使用方法について説明する。本実施例の水中ゴミ掃除機は、空気穴４が空気弁８で塞がれた状態となっており、かつ排出扉６も本体１が水中に挿入されたときには水圧で押され、空気が抜けない状態となる。したがって、本実施例の水中ゴミ掃除機を容器内の水中に挿入した後、本体部１を両側から押さえると弓状板１０が変形し、それに連結された連結糸９により空気弁８が空洞部１ａ内部に引かれ、空気穴４を開放される。これにより本体部中の空気を逃がすと、それにより大気との圧力差が生じる結果、容器中のゴミ混じりの水を吸入パイプ５の吸入口２から空洞部１ａ内に吸引することができる。
なお、本考案の水中ゴミ掃除機では、本体部を容器中に挿入する場合に、空気穴４は空気中にあるようにしておくことが必要である。
このようにしてゴミ混じりの水を吸引した後、大気中に引き上げ、排出扉６を押すと排出扉６が空洞部１ａ内部側に開き、排出扉６から空洞部１ａにたまった水を排出する。排出が終了すれば再度同様な操作をすることでゴミ混じりの水を吸引することができる。
【産業上の利用可能性】
【００１１】
本考案は、比較的小規模の水槽容器、例えば浴槽、金魚等の水槽などの水底にたまったゴミを水と一緒に除去する掃除機の分野で有用である。
【符号の説明】
【００１２】
１  本体部
１ａ  空洞部
２  吸入口
３  持ち手
４  空気穴
５  吸入パイプ
６  排出扉
７  空気漏れ防止用シール
８  空気弁
９  連結糸
１０  弓状板
【図１】
0003190883.tif 000003
【図２】
0003190883.tif 000004
【図３】
0003190883.tif 000005
【図４】
0003190883.tif 000006
【図５】
0003190883.tif 000007
【図６】
0003190883.tif 000008
【図７】
0003190883.tif 000009
【手続補正書】
【提出日】平成26年4月1日(2014.4.1)
【手続補正１】
【補正対象書類名】実用新案登録請求の範囲
【補正対象項目名】全文
【補正方法】変更
【補正の内容】
【実用新案登録請求の範囲】
【請求項１】
持ち手部分近傍に空気穴（４）を有し、その内部に水を収納する空洞部を有する本体部（１）と、前記空洞部（１ａ）と密封状態で連結して前記本体部（１）から突出するように設けられた吸入パイプ（５）とからなり、前記吸入パイプ（５）は前記空洞部（１ａ）において前記空洞部（１ａ）の長さ方向の少なくとも前記空気穴（４）近傍まで延在された構成であって、
前記空気穴（４）を塞いだ状態で前記吸入パイプ（５）と前記本体部（１）とを水が入っている容器中に挿入した後、前記空気穴（４）を開放する操作をすることで前記空洞部（１ａ）中の空気を逃がし、それにより生じる大気との圧力差を利用して前記容器中のゴミ混じりの水を前記空洞部（１ａ）に吸引する構造からなることを特徴とする水中ゴミ掃除機。
【請求項２】
前記本体部（１）には、浴槽中に挿入するときには前記空洞部（１ａ）の空気が漏れず、空気中では前記空洞部（１ａ）を開放するための排出扉（６）がさらに設けられていることを特徴とする請求項１に記載の水中ゴミ掃除機。
【請求項３】
前記本体部（１）を可視光に対して透明な材料で作製し、前記空洞部（１ａ）が外部から視認可能としたことを特徴とする請求項１または２に記載の水中ゴミ掃除機。